(57)【特許請求の範囲】
【請求項１】
吊下げ具と、吊下げ具を挿入する開口部を有する台紙と、からなる商品陳列用ハンガーであって、
前記吊下げ具は、フックと支持部と係止部を有し、
前記支持部のフックの反対側に係止部を兼ねたつまみを有し、
前記係止部にスリットを設け、
前記台紙の開口部に前記係止部を挿入し、前記つまみを回転させ、
台紙と係止することを特徴とする商品陳列用ハンガー。
【請求項２】
前記スリットの台紙に接する側に突起を設けたことを特徴とする請求項１に記載の商品陳列用ハンガー。
【請求項３】
前記台紙の開口部の下部に、前記突起が嵌合する穴を設けたことを特徴とする請求項１または２に記載の商品陳列用ハンガー。
【請求項４】
前記台紙の開口部を、横に線状に設けたことを特徴とする請求項１から３のいずれか１項に記載の商品陳列用ハンガー。
【請求項５】
前記開口部の開口部と前記穴が一対で横に線状に設けたことを特徴とする請求項３に記載の商品陳列用ハンガー。
【発明の詳細な説明】
【技術分野】
【０００１】
本発明は、商品をフックに掛けて陳列する商品陳列用ハンガーに関するものである。
【背景技術】
【０００２】
従来から、商品をフックに掛けて陳列して販売する方法は、広く用いられている。用いられる包装容器としては、予めフックに吊るせるようにフック用の穴、または引っ掛ける部分を持つ形状にした包装容器が用いられている。例えば真空成形されたプラスチック容器と印刷された台紙とからなる複合容器や包装袋が用いられている。
【０００３】
使用される商品陳列用ハンガーは、印刷された台紙にフックを取付け、商品を収納した容器を吊下げて使用される。また商品陳列用ハンガーは、人目に付くように、紐で吊るしたり、陳列台や陳列棚に据え置きして利用されている。
【０００４】
また商品陳列用ハンガーは、収納する商品が小型、軽量で多品種になるにつれて、商品名や商品説明などの販促ツールをコンパクトにして、販促効果を上げるために使用されている。新商品のキャンペーンなどのツールにも使用されている。
【０００５】
使用されるフックは、台紙に取り付ける方法として、鋲のように差込むもの、ネジのように回しながら差込むもの、予め台紙に開口部を設け、そこにフックを挿入し固定するものなどがある。
【０００６】
しかし、鋲や、ネジ式で差込むものは、軽量の商品に使われている。重量での適正範囲が限られている。
【０００７】
商品の多様化の中で、少しでも重いものをフックに吊るしたい要望が多いことから、予め台紙に開口部を設け、フックを挿入して固定し、少しでも重いものを吊るせるようにした陳列用ハンガーが商品化されている。しかしフックを取り付け固定するもので、取り外しが容易にできない問題がある。
【０００８】
特許文献１によると、性分解性樹脂を用いたフックのクリップを台紙の開口部に挿入し、嵌合固定する提案がある。しかしこの方法は、クリップにより取り付け固定はできるが、取り外しはできない。
【０００９】
特許文献２によると、商品を吊下げるフックの役目とフックの上方にある商品説明書き台紙の落下した時に台紙を支える役目、双方をもつ提案がある。この方法は、フックを取り付け、取り外しに関するものでなく本発明の趣旨とは異なる。
【００１０】
よって、多品種の商品に対応が可能で、使用するフックが台紙と容易に取り付け、取り外しができる商品陳列用ハンガーが望まれている。
【先行技術文献】
【特許文献】
【００１１】
【特許文献１】登録実用新案３０７９５４５号公報
【特許文献２】特開２００５−２３０３０３号公報
【発明の概要】
【発明が解決しようとする課題】
【００１２】
多品種の商品に対応が可能で、台紙とフックがしっかり固定し、フックの取り付け、取り外しが容易にできる商品陳列用ハンガーを提供することである。
【課題を解決するための手段】
【００１３】
削除。
【００１４】
請求項１の発明に係る発明は、吊下げ具と、吊下げ具を挿入する開口部を有する台紙と、からなる商品陳列用ハンガーであって、
前記吊下げ具は、フックと支持部と係止部を有し、
前記支持部のフックの反対側に係止部を兼ねたつまみを有し、
前記係止部にスリットを設け、
前記台紙の開口部に前記係止部を挿入し、前記つまみを回転させ、
台紙と係止することを特徴とする商品陳列用ハンガーである。
【００１５】
削除。
【００１６】
請求項２の発明に係る発明は、前記スリットの台紙に接する側に突起を設けたことを特徴とする請求項１に記載の商品陳列用ハンガーである。
【００１７】
請求項３の発明に係る発明は、前記台紙の開口部の下部に、前記突起が嵌合する穴を設けたことを特徴とする請求項１または２に記載の商品陳列用ハンガーである。
【００１８】
請求項４の発明に係る発明は、前記台紙の開口部を、横に線状に設けたことを特徴とする請求項１から３のいずれか１項に記載の商品陳列用ハンガーである。
【００１９】
請求項５の発明に係る発明は、前記開口部の開口部と前記穴が一対で横に線状に設けたことを特徴とする請求項３に記載の商品陳列用ハンガーである。
【発明の効果】
【００２０】
本発明の商品陳列用ハンガーは、吊下げ具の係止部を台紙の開口部に挿入し、つまみを回転し、係止部を台紙に係止し取り付けをする。またつまみを逆回転すれば、取り外しができる。支持部のフックと反対側のつまみを回転させ係止させる方法であり、取り付け、取り外しが容易にできる、従来にない商品陳列用ハンガーである。
【図面の簡単な説明】
【００２１】
【図１】本発明の参考形態の吊下げ具（１）の一例を示す平面図。
【図２】本発明の参考形態の吊下げ具（１）の一例を示す側面図。
【図３】本発明の参考形態の吊下げ具（１）の一例を示す斜視図。
【図４】本発明の参考形態の吊下げ具（１）の係止部を挿入する台紙の開口部の一例を示す説明図。
【図５】本発明の参考形態の吊下げ具（１）の係止部を台紙の開口部に挿入した後の係止部の一例を示す説明図。
【図６】本発明の参考形態の吊下げ具（１）を台紙に取り付けた一例を示す商品陳列用ハンガー説明図。
【図７】本発明の吊下げ具（２）の一例を示す平面図。
【図８】本発明の吊下げ具（２）の一例を示す側面図。
【図９】本発明の吊下げ具（２）の一例を示す斜視図。
【図１０】本発明の吊下げ具（２）の係止部を挿入する台紙の開口部の一例を示す説明図。
【図１１】本発明の吊下げ具（２）の係止部を台紙の開口部に挿入した後の係止部の一例を示す説明図。
【図１２】本発明の吊下げ具（２）の係止部を挿入する台紙の開口部を線状に設けた一例を示す商品陳列用ハンガー台紙の説明図。
【図１３】本発明の吊下げ具（２）を台紙に取り付けた一例を示す商品陳列用ハンガー説明図。
【図１４】本発明の参考形態の吊下げ具（３）の一例を示す平面図。
【図１５】本発明の参考形態の吊下げ具（３）の一例を示す側面図。
【図１６】本発明の参考形態の吊下げ具（３）の一例を示す斜視図。
【図１７】本発明の参考形態の吊下げ具（３）の係止部を挿入する台紙の開口部の一例を示す説明図。
【図１８】本発明の参考形態の吊下げ具（３）の係止部を台紙の開口部に挿入した後の係止部の一例を示す説明図。
【図１９】本発明の参考形態の吊下げ具（４）の一例を示す平面図。
【図２０】本発明の参考形態の吊下げ具（４）の一例を示す側面図。
【図２１】本発明の参考形態の吊下げ具（４）の一例を示す斜視図。
【図２２】本発明の参考形態の吊下げ具（４）の係止部を挿入する台紙の開口部の一例を示す説明図。
【図２３】本発明の参考形態の吊下げ具（４）の係止部を台紙の開口部に挿入した後の係止部の一例を示す説明図。
【図２４】本発明の参考形態の吊下げ具（４）を台紙の開口部に挿入し、係止部の状態の一例を説明図。（図２４−１、図２４−２、図２４−３）
【発明を実施するための形態】
【００２２】
以下、本発明の一実施の形態について図面に基づいて詳細に説明する。
【００２３】
図１は、本発明の参考形態の吊下げ具（１）１０を示し、支持部のフック側につまみを有する吊下げ具の一例を示す平面図である。図２は、側面図である。図３は、斜視図である。
【００２４】
吊下げ具（１）１０は、フック１１と支持部１２と係止部１３からなる。支持部１２のフック１１側につまみ１４を有し、このつまみを回すことで係止部１３を台紙と係止する。吊下げ具は、フック、つまみ、支持部、係止部を成形加工により作成した一体品であり、つまみを回転させることにより取り付け、取り外しができる。
【００２５】
図４は、本発明の参考形態の吊下げ具（１）の係止部１３を挿入する台紙１５の開口部１６の一例を示す説明図である。開口部１６は、係止部を挿入するための大きめ開口部１７と、係止する開口部１８とが連結されている。
【００２６】
図５は、本発明の参考形態の吊下げ具（１）を台紙の開口部１６に挿入し、台紙裏面の係止部１３の状態の一例を示す説明図である。係止部１３を開口部１７に挿入して、つまみ１４を回転させ、開口部１８に係止する。係止部１３は天地に２箇所設けている。フック１１の根につまみ１４があるため、回転させ易く、取り付け、取り外しが容易にできる。
【００２７】
図６は、本発明の参考形態の吊下げ具（１）を台紙に取り付けた一例を示す商品陳列用ハンガー説明図である。台紙に吊下げ具のフックが整列して商品を陳列できるようにした商品陳列用ハンガー１９である。図５に示したように吊下げ具（１）を取り付けることができる。
【００２８】
商品陳列用ハンガーは、印刷された台紙と吊下げ具（１）からなる。店頭で見易くするために、紐などで吊るしたり、陳列台や陳列台に据え置きして使用することができる。
【００２９】
図７は、本発明の吊下げ具（２）３０を示し、支持部のフックと反対側につまみを有する吊下げ具の一例を示す平面図。図８は側面図である。図９は斜視図である。
【００３０】
吊下げ具（２）３０は、支持部１２のフック１１と反対側につまみ１４を有するもので
ある。即ち係止部１３を台紙の開口部３４に挿入後、台紙１５の裏側のつまみを回転させ係止する。つまみ１４は、係止部１３も兼ねている。
【００３１】
吊下げ具（２）の係止部は、図８に示すようにスリット３２を設けている。このスリットは、台紙１５とのクッション性を向上させ、係止させたときの装着性を向上させる働きを有する。
【００３２】
またスリット３２の台紙１５に接する側に突起３３を設けている。これは台紙との装着性を上げるために設けている。
【００３３】
図１０は、本発明の吊下げ具（２）の係止部１３を挿入する台紙の開口部の一例を示す説明図である。台紙１５には、係止部を挿入する開口部３４と、係止部のスリット３２の突起３３を挿入する穴３７を有している。この開口部３４は、支持部１２とつまみ１４との連結部３１も挿入するため、その部分を挿入しやすくなるようにＲ形状３６にしている。スリットの突起を挿入する穴３７は、開口部３４の下部に設ける。開口部と一対になる。
【００３４】
図１１は、本発明の吊下げ具（２）の係止部１３を台紙の開口部３４に挿入した後の係止部の一例を示す説明図である。係止部１３を開口部３４に挿入して、係止部１３を兼ねたつまみ１４を回転させながら、開口部に係止する。係止部は、図１１に示すようになる。係止部のスリット３２の突起３３を台紙の開口部の下部にある穴３７に挿入し嵌合する。商品陳列用のフックが出来上がる。
【００３５】
図１２は、本発明の吊下げ具（２）の係止部１３を挿入する台紙の開口部３４と穴３７を線状に設けた一例を示す商品陳列用ハンガー台紙３８の説明図である。台紙に吊下げ具のフックが整列して商品を陳列できるようにした商品陳列用ハンガー台紙３８である。商品陳列用ハンガー台紙３８には、開口部３４と穴３７が横線状に連結して線状開口部３５を設けている。図１１に示したように吊下げ具（２）を取り付けることができる。また吊下げ具（２）を取り外すときは、係止部のスリットの突起を台紙の穴から外し、つまみを逆回転させれば容易に取り外しができる。
【００３６】
図１３は、本発明の吊下げ具（２）を台紙に取り付けた一例を示す商品陳列用ハンガー説明図３９である。印刷された台紙と吊下げ具（２）からなる。店頭で見易くするために、紐などで吊るしたり、陳列台や陳列台に据え置きして使用することができる。
【００３７】
商品陳列用ハンガー３９は、印刷された台紙と吊下げ具（２）からなる。店頭で見易くするために、紐などで吊るしたり、また据え置きして使用することができる。
【００３８】
図１４は、本発明の参考形態の吊下げ具（３）４０を示し、支持部のフック側につまみを有する吊下げ具の一例を示す平面図である。図１５は側面図である。図１６は斜視図である。
【００３９】
吊下げ具（３）４０は、支持部のフック側につまみを有するものである。吊下げ具（１）と同様、つまみを回すことで係止部を台紙に係止する。
【００４０】
図１７は、本発明の参考形態の吊下げ具（３）の係止部１３を挿入する台紙の開口部の一例を示す説明図である。
【００４１】
台紙の開口部４１に、図１６の係止部を挿入し回転させて、図１８のように係止部を台紙に係止し、取付けることができる。
【００４２】
取り外しには、つまみを逆回転させればよい。吊下げ具（３）の取り付け、取り外しが容易にできる。図に示していないが、開口部を線状に設けて、商品陳列用ハンガーにすることができる。
【００４３】
図１９は、本発明の参考形態の吊下げ具（４）５０を示し、支持部のフック側につまみを有する吊下げ具の一例を示す平面図。図２０は側面図である。図２１は斜視図である。
【００４４】
吊下げ具（４）５０は、支持部のフック側につまみを有するものである。係止部を台紙の開口部５１に挿入後、つまみを回転させ係止する。
【００４５】
図２２は、本発明の参考形態の吊下げ具（４）の係止部を挿入する台紙の開口部の一例を示す説明図である。開口部５１に、図２１に示す係止部１３を挿入し回転させて、開口部５２に係止する。開口部５２は、支持部１２と係止部１３を連結する連結部３１と同径の幅を有し有している。
【００４６】
図２４は、本発明の参考形態の吊下げ具（４）を台紙の開口部に挿入し、台紙裏面の係止するための状態の一例を示す説明図である。（図２４−１、図２４−２、図２４−３）図２４−１は、係止部１３を開口部５１に挿入段階を示している。図２４−２は、つまみを回転し途中の段階を示している。図２４−３は、係止部１３を開口部５２に挿入し台紙と係止した段階を示している。
【００４７】
図２３は、台紙に本発明の参考形態の吊下げ具（４）を台紙の開口部５２に挿入し、台紙裏面の係止部の状態の一例を示す説明図である。
【００４８】
本発明の吊下げ具に用いられる樹脂は、ポリエチレン樹脂、ポリプロピレン樹脂などのポリオレフィン系樹脂、ポリエチレンテレフタレート樹脂（ＰＥＴ）、ポリエチレンナフタレート樹脂（ＰＥＮ）、ポリブチレンテレフタレート樹脂（ＰＢＴ）などが使用できる。またポリ乳酸などの生分解性樹脂や、これら樹脂に木屑や、紙パルプなど混合した樹脂などが使用できる。
【００４９】
本発明の吊下げ具は、これら樹脂を用いて射出成形法によって作成することができる。
【００５０】
本発明に用いる台紙は、板紙や、段ボール紙、合成板、木板、プラスチックシートなど使用できる。台紙の表面には、陳列する商品の印刷や、商品説明書きなど販促に繋がる印刷をすることができる。
【００５１】
これら台紙と本発明の吊り下げ具を用いて作製した商品吊下げハンガーは、容易に吊下げ具を取り付け、取り外しができる為、台紙だけ交換すれば、再利用できる。また分別して廃棄することもできる。
【００５２】
本発明の商品吊下げハンガーは、紐を用いて吊るしたり、陳列台や、陳列棚に据え置きして用いることができる。販促効果を出すことができる。
【符号の説明】
【００５３】
１０  吊下げ具（１）
１１  フック
１２  支持部
１３  係止部
１４  つまみ
１５  台紙
１６  開口部｛吊下げ具（１）｝
１７  大きめの開口部
１８  開口部
１９  商品陳列用ハンガー｛吊下げ具（１）｝
２０  吊るし穴
２１  吊るし紐
３０  吊下げ具（２）
３１  連結部
３２  スリット
３３  突起
３４  開口部｛吊下げ具（２）｝
３５  線状開口部｛吊下げ具（２）｝
３６  Ｒ形状
３７  穴
３８  商品陳列用ハンガー台紙｛吊下げ具（２）｝
３９  商品陳列用ハンガー｛吊下げ具（２）｝
４０  吊下げ具（３）
４１  開口部｛吊下げ具（３）｝
５０  吊下げ具（４）
５１  開口部｛吊下げ具（４）｝
５２  開口部（連結部と同径）
【図１】
0005630081.tif 000002
【図２】
0005630081.tif 000003
【図３】
0005630081.tif 000004
【図４】
0005630081.tif 000005
【図５】
0005630081.tif 000006
【図６】
0005630081.tif 000007
【図７】
0005630081.tif 000008
【図８】
0005630081.tif 000009
【図９】
0005630081.tif 000010
【図１０】
0005630081.tif 000011
【図１１】
0005630081.tif 000012
【図１２】
0005630081.tif 000013
【図１３】
0005630081.tif 000014
【図１４】
0005630081.tif 000015
【図１５】
0005630081.tif 000016
【図１６】
0005630081.tif 000017
【図１７】
0005630081.tif 000018
【図１８】
0005630081.tif 000019
【図１９】
0005630081.tif 000020
【図２０】
0005630081.tif 000021
【図２１】
0005630081.tif 000022
【図２２】
0005630081.tif 000023
【図２３】
0005630081.tif 000024
【図２４】
0005630081.tif 000025